(57)【要約】      （修正有）【課題】Ｄｕａｌ  Ｃｏｎｎｅｃｔｉｖｉｔｙにおいて、無線端末において無線パラメータなどの設定が変更されている間のデータ送受信の失敗を抑制する。【解決手段】第１の無線局１は、第１の無線局１の第１のセル及び第２の無線局の第２のセルを使用するＤｕａｌ  Ｃｏｎｎｅｃｔｉｖｉｔｙを行うための第１のセル及び第２のセルの無線リソース制御を無線端末３との間で行う。第１の無線局１は、第２のセルの無線リソース設定の変更に関連する変更情報を第２の無線局２に送信する。第２の無線局２は、変更情報の受信に応じて、無線端末３に対する第２のセルの無線リソース設定を変更する。第１の無線局１は、さらに、変更された第２のセルの無線リソース設定を含むＲＲＣメッセージを、第２の無線局が知ることができないコンテンツとして第２の無線局２を介して無線端末３に送信する。【選択図】図６
2020074579.tif 000002
【特許請求の範囲】
【請求項１】
第１のセルを運用する第１の無線局と、
第２のセルを運用する第２の無線局と、
前記第１のセル及び前記第２のセルを使用するDual Connectivityを行うよう構成される無線端末と、を備え、
前記第１の無線局は、前記Dual Connectivityを行うための前記第１のセル及び前記第２のセルの無線リソース制御を前記無線端末との間で行うよう構成され、
前記第１の無線局は、前記第２のセルの無線リソース設定の変更に関連する変更情報を前記第２の無線局に送信するよう構成され、
前記第２の無線局は、前記変更情報の受信に応じて、前記無線端末に対する前記第２のセルの前記無線リソース設定を変更するよう構成され、
前記第１の無線局は、変更された前記第２のセルの無線リソース設定を含むRadio Resource Control (RRC) メッセージを、前記第２の無線局が知ることができないコンテンツとして前記第２の無線局を介して前記無線端末に送信するよう構成され、
前記変更情報は、変更された前記第２のセルの無線パラメータ設定を含む、
無線通信システム。
【請求項２】
前記第１の無線局は、前記第１のセルの無線リソース設定の更新に関連する更新情報を前記変更情報とともに前記第２の無線局に送信するよう構成される、請求項１に記載の無線通信システム。
【請求項３】
前記第１の無線局及び前記第２の無線局は互いに異なる種類の無線通信機能を有する、
請求項１または２に記載の無線通信システム。
【請求項４】
前記変更情報は、前記第２の無線局における前記第２のセルでの下りリンク送信及び前記第２のセルでの上りリンク受信の少なくとも一方の停止又は中断を引き起こす、請求項１ないし３のいずれか１項に記載の無線通信システム。
【請求項５】
前記無線端末は、前記第２のセルの無線リソース制御に関する設定の変更を行なっている間、前記第２の無線局との間の信号の送信及び受信の少なくとも一方を停止又は中断するよう構成されている、請求項１ないし４のいずれか１項に記載の無線通信システム。
【請求項６】
第１のセルを運用する第１の無線局であって、
前記第１のセル及び第２の無線局によって運用される第２のセルを使用するDual Connectivityをサポートする通信制御手段を備え、
前記通信制御手段は、前記Dual Connectivityを行うための前記第１のセル及び前記第２のセルの無線リソース制御を無線端末との間で行い、
前記通信制御手段は、前記第２のセルの無線リソース設定の変更に関連する変更情報を前記第２の無線局に送信し、
前記通信制御手段は、変更された前記第２のセルの無線リソース設定を含むRadio Resource Control (RRC)メッセージを、前記第２の無線局が知ることができないコンテンツとして前記第２の無線局を介して前記無線端末へ送信し、
前記変更情報は、変更された前記第２のセルの無線パラメータ設定を含む、
第１の無線局。
【請求項７】
前記通信制御手段は、前記第１のセルの無線リソース設定の更新に関連する更新情報を前記変更情報とともに前記第２の無線局に送信する、請求項６に記載の第１の無線局。
【請求項８】
前記第１の無線局は、前記第２の無線局とは互いに異なる種類の無線通信機能を有する、請求項６又は７に記載の第１の無線局。
【請求項９】
第２のセルを運用する第２の無線局であって、
第１の無線局によって運用される第１のセル及び前記第２のセルを使用するDual Connectivityをサポートする通信制御手段を備え、
前記通信制御手段は、前記第１の無線局と無線端末の間で実施される前記第２のセルの無線リソース設定の変更に関連する変更情報を前記第１の無線局から受信し、
前記通信制御手段は、前記変更情報の受信に応じて、前記無線端末に対する前記第２のセルの前記無線リソース設定を変更し、
前記通信制御手段は、変更された前記第２のセルの無線リソース設定を含むRadio Resource Control (RRC) メッセージを、前記第２の無線局が知ることができないコンテンツとして前記第１の無線局から受信して、当該RRCメッセージを前記無線端末に送信し、
前記変更情報は、変更された前記第２のセルの無線パラメータ設定を含む、
第２の無線局。
【請求項１０】
前記通信制御手段は、前記第１のセルの無線リソース設定の更新に関連する更新情報を前記変更情報とともに前記第１の無線局から受信する、請求項９に記載の第２の無線局。
【請求項１１】
前記第２の無線局は、前記第１の無線局とは互いに異なる種類の無線通信機能を有する、請求項９又は１０に記載の第２の無線局。
【請求項１２】
前記変更情報は、前記第２の無線局における前記第２のセルでの下りリンク送信及び前記第２のセルでの上りリンク受信の少なくとも一方の停止又は中断を引き起こす、請求項９ないし１１のいずれか１項に記載の第２の無線局。
【請求項１３】
無線端末であって、
第１の無線局によって運用される第１のセル及び第２の無線局によって運用される第２のセルを使用するDual Connectivityをサポートする通信制御手段を備え、
前記通信制御手段は、前記Dual Connectivityを行うための前記第１のセル及び前記第２のセルの無線リソース制御を前記第１の無線局との間で行い、
前記通信制御手段は、前記第１の無線局により、前記第２の無線局が知ることができないコンテンツとして前記第２の無線局を介して送信される変更された前記第２のセルの無線リソース設定を含むRadio Resource Control (RRC) メッセージを前記第２のセルで受信する、
無線端末。
【請求項１４】
前記通信制御手段は、前記第２のセルの前記無線リソース設定の変更が完了したことを示す完了メッセージを前記第１の無線局へ送信する、請求項１３に記載の無線端末。
【請求項１５】
前記通信制御手段は、前記第２のセルの無線リソース制御に関する設定の変更を行なっている間、前記第２の無線局との間の信号の送信及び受信の少なくとも一方を停止又は中断する、請求項１３または１４に記載の無線端末。
【請求項１６】
第１のセルを運用する第１の無線局における制御方法であって、
前記第１のセル及び第２の無線局によって運用される第２のセルを使用するDual Connectivityをサポートし、
前記Dual Connectivityを行うための前記第１のセル及び前記第２のセルの無線リソース制御を無線端末との間で行い、
前記第２のセルの無線リソース設定の変更に関連する変更情報を前記第２の無線局に送信し、
変更された前記第２のセルの無線リソース設定を含むRadio Resource Control (RRC)メッセージを、前記第２の無線局が知ることができないコンテンツとして前記第２の無線局を介して前記無線端末へ送信することを含み、
前記変更情報は、変更された前記第２のセルの無線パラメータ設定を含む、
制御方法。
【請求項１７】
第２のセルを運用する第２の無線局における制御方法であって、
第１の無線局によって運用される第１のセル及び前記第２のセルを使用するDual Connectivityをサポートし、
前記第１の無線局と無線端末の間で実施される前記第２のセルの無線リソース設定の変更に関連する変更情報を前記第１の無線局から受信し、
前記変更情報の受信に応じて、前記無線端末に対する前記第２のセルの前記無線リソース設定を変更し、
変更された前記第２のセルの無線リソース設定を含むRadio Resource Control (RRC) メッセージを、前記第２の無線局が知ることができないコンテンツとして前記第１の無線局から受信して、当該RRCメッセージを前記無線端末に送信することを含み、
前記変更情報は、変更された前記第２のセルの無線パラメータ設定を含む、
制御方法。
【請求項１８】
無線端末における制御方法であって、
第１の無線局によって運用される第１のセル及び第２の無線局によって運用される第２のセルを使用するDual Connectivityをサポートし、
前記Dual Connectivityを行うための前記第１のセル及び前記第２のセルの無線リソース制御を前記第１の無線局との間で行い、
前記第１の無線局により、前記第２の無線局が知ることができないコンテンツとして前記第２の無線局を介して送信される変更された前記第２のセルの無線リソース設定を含むRadio Resource Control (RRC) メッセージを前記第２のセルで受信することを含む、
制御方法。
【発明の詳細な説明】
【技術分野】
【０００１】
本発明は、無線局と無線端末が複数のセルを利用して通信を行う無線通信システムに関する。
【背景技術】
【０００２】
近年のモバイルトラフィックの急激な増大による通信品質の低下の改善、及びさらなる高速通信の実現のため、3GPP LTE（Long Term Evolution）では無線基地局（eNode B: eNB）と無線端末（User Equipment: UE）が複数のセルを使用して通信を行うキャリアアグリゲーション（Carrier Aggregation: CA）機能の仕様化が行われている。なお、UEがCAで使用可能なセルは、１つのeNBの複数セル（つまり、eNBが運用する複数セル）に限定される。
【０００３】
CAにおいてUEが使用するセルは、CAを開始する時点でサービングセルとして使用されているプライマリセル（Primary cell: PCell）と、追加的に又は従属的に使用されるセカンダリセル（Secondary cell: SCell）に分類される。SCellは、必要に応じてUEにおいて使用されたり、使用を中止されたりすることができる。なお、SCellの使用を開始することを、活性化する（activate）、又はアクティベーション（activation）と呼ぶ。同様に、SCellの使用を中止することを、非活性化する（deactivate）又はディアクティベーション（deactivation）と呼ぶ。PCellでは、無線接続の（再）確立（RRC Connection Establishment, RRC Connection Re-establishment）の際に、NASモビリティ情報（Non Access Stratum mobility information）やセキュリティ情報（security input）が送受信される（非特許文献１）。PCellに対応するDL (downlink) Carrierは、DL PCC (Primary Component Carrier)と呼ばれ、UL (uplink) CarrierはUL PCCと呼ばれる。同様に、SCellに対応するDL CarrierはDL SCC (Secondary Component Carrier)と呼ばれ、UL CarrierはUL SCCと呼ばれる。
【０００４】
CAにおける下りリンクのデータ（DL data）送受信時に、SCellにおける無線リソース設定（つまり、RRC情報）を変更する場合の動作を図１１を用いて説明する（非特許文献２）。ここでは、UEがeNBによって運用される第１のセル（Cell1）をPCellとして使用し、第２のセル（Cell2）をSCellとして使用することを想定する。ステップＳ１では、eNBがUEにSCell（つまり、Cell2）の設定情報を送信する（RRC Connection Reconfiguration (Scell configuration)）。ステップＳ２では、UEがSCell（つまり、Cell2）の無線パラメータなどの設定を実行する（SCell configuration）。ステップＳ３では、UEがSCellの設定完了をeNBに報告する（RRC Connection Reconfiguration Complete）。
【０００５】
ステップＳ４では、eNBがUEにSCellの使用開始（アクティベーション（Activation）と呼ぶ）の指示を送信する（Activation control element (activation of SCell)）。ステップＳ５では、UEがSCellの使用を開始する（SCell activation）。ステップＳ６及びＳ７では、eNB及びUEは、PCell若しくはSCell又はこれら両方を使用してDL dataを送受信する。
【０００６】
ステップＳ８では、eNBは、SCell（つまり、Cell2）の無線リソース設定を変更する必要があると判断し、UEにSCellに関する変更すべき設定情報を送信する（RRC Connection Reconfiguration (SCell modification）)。ステップＳ９では、UEがSCellの設定を更新する（SCell modification）。ステップＳ１０では、UEがSCellの設定変更完了をeNBに報告する（RRC Connection Reconfiguration Complete）。ここで、eNBは、UEから当該設定変更完了の報告を受けるまで、SCell（つまり、Cell2）においてUEへのDL data送信をしない。
【０００７】
ステップＳ１１及びＳ１２では、eNB及びUEは、PCell若しくはSCell又はこれら両方を使用してDL dataを送受信する。
【０００８】
図１１に示した手順により、CAにおけるSCellの無線リソース設定の変更を適切に行うことができる。なお、eNB及びUEがRRC Connection Reconfigurationにより無線パラメータなどの設定を行っている間または設定の変更を行っている間、データ送受信は中断される。例えば、eNBは、当該UEへのDL data送信を中断し、当該UEはeNBからのDL data受信を中断する。
【先行技術文献】
【非特許文献】
【０００９】
【非特許文献１】3GPP TS 36.300 V11.3.0, "Evolved Universal Terrestrial Radio Access (E-UTRA) and Evolved Universal Terrestrial Radio Access Network (E-UTRAN); Overall description; Stage 2 (Release 11)", Section 7.5, September 2012
【非特許文献２】3GPP TS 36.331 V11.2.0, "Evolved Universal Terrestrial Radio Access (E-UTRA); Radio Resource Control (RRC); Protocol specification (Release 11)", Section 5.3.5.3, December 2012
【非特許文献３】3GPP RWS-120046, Samsung Electronics, "Technologies for Rel-12 and Onwards", 3GPP TSG RAN Workshop on Rel-12 and Onwards, Ljubljana, Slovenia, 11-12 June 2012
【非特許文献４】3GPP RWS-120010, NTT DOCOMO, "Requirements, Candidate Solutions & Technology Roadmap for LTE Rel-12 Onward", 3GPP TSG RAN Workshop on Rel-12 and Onwards, Ljubljana, Slovenia, 11-12 June 2012
【発明の概要】
【発明が解決しようとする課題】
【００１０】
さらに、異なる無線基地局（eNB）のセルを同時に使用する基地局間キャリアアグリゲーション（inter-eNB CA）の提案がある（非特許文献３及び４）。例えば、マクロ基地局（Macro eNB: MeNB）のセルをPCellとし、低電力基地局（Low Power Node: LPN）のセルをSCellとして同時に使用することができる。基地局間キャリアアグリゲーションでは、PCellとSCellでそれぞれ独立にベアラが設定され、UEとMeNB及びUEとLPNの間で通信が行われる。
【００１１】
inter-eNB CAにおいてもMeNBがPCellおよびSCellの無線パラメータなどの設定を制御することが想定される。しかし、例えばDL dataをSCellで送信しているときに通常のCA（つまり、intra-eNB CA）と同様にSCellの無線パラメータなどの設定を変更しようとすると、UEは、MeNBの指示によりSCellの無線パラメータの変更を実行している間、SCellにおけるDL dataの受信を中断する。一方、SCellを管理するLPNは、UEにおいて当該無線パラメータ変更を実行中であることを知らず、DL dataの送信を継続することが想定される。従って、 UEがSCellの無線パラメータの変更を実行している間のDL dataの送受信が失敗し、最悪ケースではパケットロスが生じる可能性もある。
【００１２】
本件発明の目的の１つは、異なる無線局によって運用される複数セルのキャリアアグリゲーションにおいて、無線端末において無線パラメータなどの設定が変更されている間のデータ送受信の失敗を抑制することに寄与する無線通信システム、無線局、無線端末、通信制御方法、及びプログラムを提供することである。
【課題を解決するための手段】
【００１３】
第１の態様では、無線通信システムは、第１のセルを運用する第１の無線局、第２のセルを運用する第２の無線局、及び前記第１のセル及び前記第２のセルを使用するキャリアアグリゲーションを行うことが可能な無線端末を含む。前記第１の無線局は、前記キャリアアグリゲーションを行うための前記第１のセル及び前記第２のセルの無線リソース制御を前記無線端末との間で行うよう構成されている。さらに、前記第１の無線局は、前記第２のセルの無線リソース制御に関する設定の更新情報を前記第２の無線局に送信するよう構成されている。
【００１４】
第２の態様では、第１のセルを運用する第１の無線局は、通信制御部を含む。前記通信制御部は、前記第１のセル及び第２の無線局によって運用される第２のセルを使用するキャリアアグリゲーションをサポートする。前記通信制御部は、前記キャリアアグリゲーションを行うための前記第１のセル及び前記第２のセルの無線リソース制御を無線端末との間で行う。さらに、前記通信制御部は、前記第２のセルの無線リソース制御に関する設定の更新情報を前記第２の無線局に送信する。
【００１５】
第３の態様では、第２のセルを運用する第２の無線局は、通信制御部を含む。前記通信制御部は、第１の無線局によって運用される第１のセル及び前記第２のセルを使用するキャリアアグリゲーションをサポートする。前記通信制御部は、前記第１の無線局と無線端末の間で実施される前記第２のセルの無線リソース制御に関する設定の更新情報を前記第１の無線局から受信する。
【００１６】
第４の態様では、無線端末は、第１の無線局によって運用される第１のセルを第１のセルとして使用し且つ第２の無線局によって運用される第２のセルを第２のセルとして使用するキャリアアグリゲーションをサポートする通信制御部を含む。前記通信制御部は、前記キャリアアグリゲーションを行うための前記第１のセル及び前記第２のセルの無線リソース制御を前記第１の無線局との間で行う。さらに、前記通信制御部は、前記第２のセルの無線リソース制御に関する設定情報を前記第１の無線局から受信する。
【００１７】
第５の態様では、第１のセルを運用する第１の無線局における通信制御方法は、
（ａ）前記第１のセル及び第２の無線局によって運用される第２のセルを使用するキャリアアグリゲーションを行うための前記第１のセル及び前記第２のセルの無線リソース制御を無線端末との間で行うこと、及び
（ｂ）前記第２のセルの無線リソース制御に関する設定の更新情報を前記第２の無線局に送信すること、
を含む。
【００１８】
第６の態様では、第２のセルを運用する第２の無線局における通信制御方法は、第１の無線局によって運用される第１のセル及び前記第２のセルを使用するキャリアアグリゲーションのために前記第１の無線局と無線端末の間で実施される前記第２のセルの無線リソース制御に関する設定の更新情報を前記第１の無線局から受信することを含む。
【００１９】
第７の態様では、無線端末における通信制御方法は、第１の無線局によって運用される第１のセル及び第２の無線局によって運用される第２のセルを使用するキャリアアグリゲーションを行うための前記第１のセル及び前記第２のセルの無線リソース制御を前記第１の無線局との間で行うことを含む。さらに、前記行うことは、前記第２のセルの無線リソース制御に関する設定情報を前記第１の無線局から受信することを含む。
【００２０】
第８の態様では、プログラムは、上述した第５の態様に係る通信制御方法をコンピュータに行わせるための命令群を含む。
【００２１】
第９の態様では、プログラムは、上述した第６の態様に係る通信制御方法をコンピュータに行わせるための命令群を含む。
【００２２】
第１０の態様では、プログラムは、上述した第７の態様に係る通信制御方法をコンピュータに行わせるための命令群を含む。
【発明の効果】
【００２３】
上述した態様によれば、異なる無線局によって運用される複数セルのキャリアアグリゲーションにおいて、無線端末において無線パラメータなどの設定が変更されている間のデータ送受信の失敗を抑制することに寄与する無線通信システム、無線局、無線端末、通信制御方法、及びプログラムを提供できる。
【図面の簡単な説明】
【００２４】
【図１】第１の実施形態に係る無線通信システムの構成例を示す図である。
【図２】第１の実施形態に係る第１の無線局の構成例を示す図である。
【図３】第１の実施形態に係る第２の無線局の構成例を示す図である。
【図４】第１の実施形態に係る無線端末の構成例を示す図である。
【図５】第１の実施形態に係る無線通信システムにおける通信制御方法の一例を示すシーケンス図である（手順例１）。
【図６】第１の実施形態に係る無線通信システムにおける通信制御方法の一例を示すシーケンス図である（手順例２）。
【図７】第１の実施形態に係る無線通信システムにおける通信制御方法の一例を示すシーケンス図である（手順例３）。
【図８】第２の実施形態に係る無線通信システムにおける通信制御方法の一例を示すシーケンス図である（手順例４）。
【図９】第２の実施形態に係る無線通信システムにおける通信制御方法の一例を示すシーケンス図である（手順例５）。
【図１０】第２の実施形態に係る無線通信システムにおける通信制御方法の一例を示すシーケンス図である（手順例６）。
【図１１】LTEのキャリアアグリゲーションにおける無線リソース設定の変更手順を示すシーケンス図である（背景技術）。
【発明を実施するための形態】
【００２５】
以下では、具体的な実施形態について、図面を参照しながら詳細に説明する。各図面において、同一又は対応する要素には同一の符号が付されており、説明の明確化のため、必要に応じて重複説明は省略される。
【００２６】
＜第１の実施形態＞
図１は、本実施形態に係る無線通信システムの構成例を示している。本実施形態に係る無線通信システムは、第１の無線局１、第２の無線局２、及び無線端末３を含む。無線局１及び２は、コアネットワーク４に接続され、第１のセル１０及び第２のセル２０をそれぞれ運用する。無線局１及び２は、例えば、無線基地局、基地局制御局、又は無線基地局の一部の機能（プロトコルレイヤ）のみを有する簡易無線基地局である。無線端末３は、１つの無線局のセルを使用している間に他の無線局のセルも使用する機能を有する。言い換えると、無線端末３は、異なる無線局によって運用される複数のセルのキャリアアグリゲーション（またはセルアグリゲーション）をサポートする。尚、異なる無線局とは、独立した異なる無線局でもよいし、ある無線局とそれに従属する別の無線局でもよい。さらに、異なる無線局のそれぞれが、機能が異なる種類の無線局であってもよい。
【００２７】
例えば、無線端末３は、第１のセル１０における第１の無線接続を維持したまま、第２のセル２０における第２の無線接続を確立することができる。「無線接続の確立」とは、例えば、無線端末３と無線局（例えば、無線局１又は２）が通信可能な状態になること、又は無線端末３と無線局（例えば、無線局１又は２）が通信に必要な情報を共有している状態になること、に相当する。これにより、無線端末３は、信号（例えば、ユーザーデータ又は制御情報）の送信又は受信のために複数のセル（例えば、セル１０及び２０）を同時に使用することができる。「複数のセルを同時に使用する」とは、実際に複数のセルで信号を同時に受信又は送信することに限定はされず、複数のセルの両方において信号を受信又は送信することが可能な状態になっているが実際にはいずれかのセルで信号を受信又は送信すること、複数のセルそれぞれで種類の異なる信号を受信又は送信すること、或いは、複数のセルそれぞれを信号の受信又は送信のいずれかに使用すること、などを含む。
【００２８】
異なる無線局によって運用される複数のセルのキャリアアグリゲーションという観点から、異なる無線局によって運用される複数のセルを使用する機能は、無線局間キャリアアグリゲーションと呼ぶことができる。また、上述のような複数のセルの同時使用の観点から、異なる無線局によって運用される複数のセルを使用する機能は、デュアル接続（Dual Connection）、デュアル接続性（Dual Connectivity）、マルチ接続（Multi Connection）、マルチ接続性（Multi Connectivity）、などと呼ぶこともできる。
【００２９】
無線端末３は、無線局１又は２に対して無線局間キャリアアグリゲーションを行う能力を有すること（つまり、無線局間キャリアアグリゲーションをサポートすること）を示す端末能力報告を行ってもよい。これに代えて、無線端末３は、無線端末３のカテゴリ又は装置リリース番号などにより無線局間キャリアアグリゲーションをサポートすることを暗に示してもよい。無線局間キャリアアグリゲーションの能力は、デュアル接続の能力、又はマルチ接続の能力、と呼ぶこともできる。
【００３０】
図１は、ヘテロジーニアス・ネットワーク（Heterogeneous Network: HetNet）環境を示している。具体的に述べると、図１に示された第１のセル１０は、第２のセル２０に比べて広いカバレッジを有する。また、図１は、第１のセル１０内に第２のセル２０が配置された階層化セル構成を示している。しかしながら、図１に示されたセル構成は一例に過ぎない。例えば、第１及び第２のセル１０及び２０は、同程度のカバレッジを有してもよい。言い換えると、本実施形態に係る無線通信システムは、ホモジーニアス・ネットワーク（Homogeneous Network）環境に適用されてもよい。
【００３１】
続いて以下では、本実施形態の無線通信システムの動作についてさらに詳しく説明する。本実施形態の無線通信システムでは、第１の無線局１は、第１のセル１０及び第２のセル２０の無線局間キャリアアグリゲーションを行うための第１のセル１０及び第２のセル２０の制御系管理機能（例えば、RRC Layer）を有する。具体的には、第１の無線局１は、セル１０及び２０のキャリアアグリゲーションを行うために、セル１０及び２０の無線リソース制御を無線端末３との間で行う。ここで、第１の無線局１は、無線リソース制御に関する設定を第１のセル１０において無線端末３に送信しても良いし、第２の無線局２を介して第２のセル２０において無線端末３に送信しても良い。後者の場合、第１の無線局１が第２の無線局２に第２のセル２０における無線リソース制御に関する設定を含むメッセージを送信するが、第２の無線局２は当該メッセージのコンテンツを知らなくても良いし、知ることができるような構成にしても良い。また、第２の無線局２が第２のセル２０にて無線リソース制御に関する設定を送信する場合、当該設定を下りリンクデータと同様に送信しても良い。さらに、第１の無線局１は、第２のセル２０の無線リソース制御に関する設定の更新情報を前記第２の無線局２に送信するよう構成されている。
【００３２】
第１の無線局１から第２の無線局２に送信される上述の更新情報は、例えば、第２の無線局２における第２のセル２０での下りリンク送信及び第２のセル２０での上りリンク受信の少なくとも一方の停止又は中断を引き起こす。上述の更新情報は、例えば以下の（ａ）〜（ｄ）のうち少なくとも１つを明示的（explicitly）に又は暗示的（implicitly）に示してもよい。
（ａ）第２のセル２０の無線リソース制御に関する設定の更新（又は変更）の開始報告
（ｂ）第２のセル２０の無線リソース制御に関する設定の更新（又は変更）の開始通知
（ｃ）第２のセル２０の無線リソース制御に関する設定の更新（又は変更）の予告
（ｄ）第２のセル２０の無線リソース制御に関する設定の更新（又は変更）の終了見込み
【００３３】
上述の更新情報が更新の開始報告（つまり、既に開始したこと）、更新の開始通知（つまり、これから開始しようとしていること）、又は更新の予告（つまり、これから開始する予定であること）を示す場合、第１の無線局１は、第２のセル２０の無線リソース制御に関する設定の更新の終了タイミング（または終了タイミングの予想）を示す情報を、開始報告、開始通知、又は予告と共に送信してもよい。これに代えて、第１の無線局１は、第２のセル２０の無線リソース制御に関する設定の更新が終了した時点で、終了通知を第２の無線局２に送信してもよい。
【００３４】
上述の更新情報が更新の予告である場合、第１の無線局１は、更新（の開始）タイミングの情報を更新の予告と共に送信してもよい。
【００３５】
上述の更新情報にて示される更新（の開始）タイミングの情報又は終了タイミングの情報は、例えばタイマー値で示されてもよいし、フレーム番号（例えば、System Frame Number: SFN）で示されてもよい。
【００３６】
上述の更新情報は、単なる更新の通知又は予告ではなく、第１のセル１０において第１の無線局１から無線端末３に送られる第２のセル２０の無線リソース制御に関する設定、又は当該設定に関する制御情報であってもよい。さらに、この設定又は制御情報は、無線局間の制御メッセージに乗せて第１の無線局１から送信されてもよい。この場合、制御メッセージを受信した第２の無線局２は、第２のセル２０の無線リソース制御に関する設定の更新（又は変更）の開始報告、開始通知、又は予告を暗に受信したものと判断してもよい。つまり、第１の無線局１は、更新する第２のセル２０の無線リソース制御に関する設定、又は当該設定に関する制御情報を第２の無線局２に送信することで、上述の（ａ）〜（ｄ）のいずれかを暗示的に示すようにしても良い。
【００３７】
第１の無線局１は、上述の更新情報を、無線端末３毎に第２の無線局２に送信してもよいし、第２のセル２０で通信する複数の又は全ての無線端末３を対象として第２の無線局２に送信してもよい。
【００３８】
第１の無線局１は、上述の更新情報（つまり、第２のセル２０の無線リソース制御に関する設定の更新情報）を、第２のセル２０以外のセル（例えば、第１のセル１０）の無線リソース制御に関する設定の更新情報と共に第２の無線局２に送信してもよい。また、第１の無線局１は、上述の更新情報（つまり、第２のセル２０の無線リソース制御に関する設定の更新情報）として、第１のセル１０の無線リソース制御に関する設定の更新情報を送信してもよい。
【００３９】
上述の更新情報（つまり、第２のセル２０の無線リソース制御に関する設定の更新情報）を受信した第２の無線局２は、例えば、以下のように動作してもよい。第２の無線局２は、第２のセル２０における無線端末３との間の信号の送受信を制御する。一例において、第２の無線局２は、第２のセル２０の無線リソース制御に関する設定の更新が無線端末３において行われている間、又は行われていると見込まれる間、第２のセル２０における無線端末３との間の信号の送信及び受信の少なくとも一方を停止又は中断してもよい。
【００４０】
次に、第１の無線局１による第１のセル１０及び第２のセル２０の制御系管理について説明する。第１の無線局１は、例えば、セル１０及び２０の無線リソース制御に関する設定を第１のセル１０において無線端末３に送信する。無線端末３は、当該無線リソース制御に関する設定に従って信号の送受信を行う。一例において、当該無線リソース制御に関する設定を受信した無線端末３は、第２のセル２０の無線リソース制御に関する設定を行なっている間、又は設定を更新している間、第２のセル２０において信号（例えば、データ）の送受信を行わないようにしてもよい。このとき、無線端末３は、第１のセル１０において通常通りに信号の送受信を行なってもよいし、第１のセル１０においても信号（例えば、データ）の送受信を行わないようにしてもよい。
【００４１】
セル１０及び２０の無線リソース制御に関する設定は、例えば無線パラメータ等の設定であるが、これに限定されない。無線リソース制御に関する設定は、例えば、無線パラメータ設定、端末測定設定、所定の機能に関する設定、及びセカンダリセル設定のうち少なとも１つを含んでもよい。
【００４２】
第１の無線局１は、第２のセル２０の無線リソース制御に関する設定情報（言い換えると、設定又は設定更新の指示）を、第１のセル１０において無線端末３毎に送信してもよいし、第１のセル１０で通信する複数の又は全ての無線端末３への共通メッセージを用いて送信してもよい。
【００４３】
以上に述べたように、本実施形態では、第１の無線局１は、セル１０及び２０の無線局間キャリアアグリゲーションのために、第２のセルの無線リソース制御に関する設定及びその更新を第１のセル１０において無線端末３と行う。さらに、第１の無線局１は、第２のセルの無線リソース制御に関する設定の更新情報を第２の無線局２に送信する。これにより、第２の無線局２は、第２のセル２０の無線リソース制御に関する設定の更新が無線端末３において行われることを認識できる。したがって、例えば、第２の無線局２は、第２のセル２０の無線リソース制御に関する設定の更新が無線端末３において行われている間、又は行われていると見込まれる間、第２のセル２０における無線端末３との間の信号の送信及び受信の少なくとも一方を停止又は中断することができる。このため、本実施形態は、無線端末３において無線パラメータなどの設定が変更されている間のデータ送受信の失敗を抑制することに寄与できる。
【００４４】
続いて以下では、本実施形態に係る無線局１及び２、並びに無線端末３の構成例について説明する。図２は、第１の無線局１の構成例を示すブロック図である。無線通信部１１は、無線端末３から送信された上りリンク信号（uplink signal）をアンテナを介して受信する。受信データ処理部１３は、受信された上りリンク信号を復元する。得られた受信データは、通信部１４を経由して他のネットワークノード、例えばコアネットワーク４のデータ中継装置若しくはモビリティ管理装置、又は他の無線局に転送される。例えば、無線端末３から受信された上りユーザーデータは、上位ネットワークのデータ中継装置に転送される。また、無線端末３から受信された制御データのうち非アクセス層（Non-Access Stratum（NAS））の制御データは、上位ネットワークのモビリティ管理装置に転送される。さらに、受信データ処理部１３は、無線局２に送信される制御データを通信制御部１５から受信し、これを通信部１４を経由して無線局２に送信する。
【００４５】
送信データ処理部１２は、無線端末３宛てユーザーデータを通信部１４から取得し、誤り訂正符号化、レートマッチング、インタリービング等を行なってトランスポートチャネルを生成する。さらに、送信データ処理部１２は、トランスポートチャネルのデータ系列に制御情報を付加して送信シンボル列を生成する。無線通信部１１は、送信シンボル列に基づく搬送波変調、周波数変換、信号増幅等の各処理を行って下りリンク信号（downlink signal）を生成し、これを無線端末３に送信する。さらに、送信データ処理部１２は、無線端末３に送信される制御データを通信制御部１５から受信し、これを無線通信部１１を経由して無線端末３に送信する。
【００４６】
通信制御部１５は、第１のセル１０及び第２のセル２０を使用する無線局間キャリアアグリゲーションを制御する。具体的に述べると、通信制御部１５は、セル１０及び２０のキャリアアグリゲーションを行うために、セル１０及び２０の無線リソース制御を第１のセル１０において無線端末３との間で行う。さらに、通信制御部１５は、第２のセル２０の無線リソース制御に関する設定の更新情報を前記第２の無線局２に送信する。
【００４７】
図３は、第２の無線局２の構成例を示すブロック図である。図３に示された無線通信部２１、送信データ処理部２２、受信データ処理部２３、及び通信部２４の機能及び動作は、図２に示された無線局１の対応する要素、すなわち無線通信部１１、送信データ処理部１２、受信データ処理部１３、及び通信部１４と同様である。
【００４８】
無線局２の通信制御部２５は、第１のセル１０及び第２のセル２０を使用する無線局間キャリアアグリゲーションを制御する。さらに、通信制御部２５は、第２のセル２０の無線リソース制御に関する設定の更新情報を第１の無線局１から受信する。一例において、通信制御部２５は、当該更新情報に基づいて特定された期間（つまり、第２のセル２０の無線リソース制御に関する設定の更新が無線端末３において行われていると見込まれる期間）において、第２のセル２０での下りリンク送信及び第２のセル２０での上りリンク受信の少なくとも一方を停止又は中断してもよい。
【００４９】
図４は、無線端末３の構成例を示すブロック図である。無線通信部３１は、異なる無線局によって運用される複数のセルのキャリアアグリゲーションをサポートし、信号の送信又は受信のために複数のセル（例えば、セル１０及び２０）を同時に使用することができる。具体的には、無線通信部３１は、アンテナを介して、無線局１若しくは無線局２又はこれら両方から下りリンク信号を受信する。受信データ処理部３２は受信された下りリンク信号から受信データを復元してデータ制御部３３に送る。データ制御部３３は、受信データをその目的に応じて利用する。また、送信データ処理部３４及び無線通信部３１は、データ制御部３３から供給される送信データを用いて上りリンク信号を生成し、無線局１若しくは無線局２又はこれら両方に向けて送信する。
【００５０】
無線端末３の通信制御部３５は、第１のセル１０及び第２のセル２０を使用する無線局間キャリアアグリゲーションを制御する。さらに、通信制御部３５は、セル１０及び２０の無線リソース制御に関する設定を第１のセル１０において第１の無線局１から受信し、セル１０及び２０の無線リソース制御の設定又は設定の更新を実行する。一例において、通信制御部３５は、第２のセル２０の無線リソース制御に関する設定又は設定の更新を行なっている間、第２のセル２０における第２の無線局２との間の信号の送信及び受信の少なくとも一方を停止又は中断してもよい。
【００５１】
続いて以下では、本実施形態に係る無線通信システムにおける通信制御方法の手順例１〜３について説明する。
【００５２】
（手順例１）
手順例１では、第１の無線局１は、第２のセル２０の無線端末３に対する無線リソース制御に関する設定の更新情報を第２の無線局２に送信する。図５は、手順例１に係る通信制御方法を示すシーケンス図の一例である。ステップＳ１０１及びＳ１０２では、無線端末３は、第１のセル１０及び第２のセル２０のキャリアアグリゲーションを実行する。すなわち、ステップＳ１０１及びＳ１０２では、第１の無線局１が第１のセル１０において無線端末３とデータ又は制御信号の送受信を行い、第２の無線局２が第２のセル２０において当該無線端末３とデータの送受信を行う。
【００５３】
ステップＳ１０３では、第１の無線局１は、第２のセル２０の無線リソース制御に関する設定を変更する必要があると判断し、第２のセル２０における無線リソース制御に関する設定の更新情報を第２の無線局２に送信する。ステップＳ１０４では、第２の無線局２は、ステップＳ１０３での更新情報を考慮して、第２のセル２０において無線端末３との間でデータ送受信を行う。例えば、第２の無線局２は、無線端末３において第２のセル２０の無線リソース制御に関する設定が変更中であるタイミングでは、当該無線端末３との間のデータ送受信を行わない。これにより、第２のセル２０におけるデータ送受信が適切に行われ、パケットロスなどを回避することができる。
【００５４】
なお、図５には明示されていないが、手順例１において、第２の無線局２も第２のセル２０の無線リソース制御の設定を変更してもよい。例えば、第１の無線局１からの無線リソース制御に関する設定の更新情報は、第２の無線局２において変更するべき無線リソース制御に関する設定情報を含む。第２の無線局２は、当該設定情報を受信した時点で、第２のセル２０の無線リソース制御に関する設定の変更を行ってもよい。これに代えて、第２の無線局２は、無線端末３と同じタイミングで第２のセル２０の無線リソース制御に関する設定の変更を行ってもよい。第２の無線局２において変更するべき無線リソース制御に関する設定情報は、第２のセル２０にて通信する無線端末３毎に異なってもよいし、第２のセル２０にて通信する複数又は全ての無線端末３に対して共通でもよい。共通である場合には、無線局１と無線局２の間の信号量を低減することができる。
【００５５】
（手順例２）
手順例２では、第１の無線局１は、第２のセル２０の無線端末３に対する無線リソース制御に関する設定の更新情報として、更新の開始通知（つまり、更新を開始すること）を第２の無線局２に送信する。さらに、第１の無線局１は、無線リソース制御に関する設定更新が無線端末３において終了したことを第２の無線局２に通知する。
【００５６】
図６は、手順例２に係る通信制御方法を示すシーケンス図の一例である。ステップＳ２０１では、第１の無線局１は、第２のセル２０の無線リソース制御に関する設定を変更する必要があると判断し、無線リソース制御に関する設定の更新情報として、当該設定の更新の開始通知を示す情報を第２の無線局２に送信する。ステップＳ２０２では、第１の無線局１は、第２のセル２０の無線リソース制御に関する設定情報を無線端末３に送信する。
【００５７】
無線端末３は、当該設定情報に従って第２のセル２０の無線リソース制御に関する設定を更新し、更新完了を第１の無線局１に報告する（ステップＳ２０３）。無線端末３は、第２のセル２０の無線リソース制御に関する設定を更新している間、第２のセル２０において信号（例えば、データ）の送受信を行わないようにしてもよい。
【００５８】
ステップＳ２０４では、第１の無線局１は、第２のセル２０の無線リソース制御に関する設定の更新が無線端末３において終了したことを、第２の無線局２に通知する。ステップＳ２０５では、第２の無線局２は、第２のセル２０において当該無線端末３との間でデータ送受信を再開または開始する。したがって、第２の無線局２は、無線端末３において第２のセル２０の無線リソース制御に関する設定が変更中であるタイミングでは、当該無線端末３との間のデータ送受信を行わない。これにより、第２のセル２０におけるデータ送受信が適切に行われ、パケットロスなどを回避することができる。
【００５９】
手順例２において、ステップＳ２０１の無線リソース制御に関する設定の更新情報は、当該設定の更新（の開始）タイミングの情報を含んでもよいし、当該設定の更新を開始したことを示す情報を含んでもよい。
【００６０】
手順例１における補足説明と同様に、手順例２においても、第２の無線局２は第２のセル２０の無線リソース制御の設定を変更してもよい。例えば、第１の無線局１からの無線リソース制御に関する設定の更新情報は、第２の無線局２において変更するべき無線リソース制御に関する設定情報を含む。
【００６１】
（手順例３）
手順例３では、第１の無線局１は、第２のセル２０の無線端末３に対する無線リソース制御に関する設定の更新情報として、更新の開始通知（つまり、更新を開始すること）と、無線端末３における当該設定の更新の終了見込みを示す情報（例えば、タイマー値）を第２の無線局２に送信する。
【００６２】
図７は、手順例３に係る通信制御方法を示すシーケンス図の一例である。ステップＳ３０１では、第１の無線局１は、第２のセル２０の無線リソース制御に関する設定を変更する必要があると判断し、無線リソース制御に関する設定の更新情報として、当該設定の更新の開始通知を示す情報と、無線端末３における無線リソース制御に関する設定の更新の終了見込みを示す情報を第２の無線局２に送信する。終了見込みを示す情報は、例えば、タイマー値（タイマー設定値）である。第２の無線局２は、無線リソース制御に関する設定の更新の終了（または終了見込み）を判定するためのタイマーを、タイマー値に従って動作させる（つまり、計測を開始する）。
【００６３】
ステップＳ３０２では、第１の無線局１は、第２のセル２０の無線リソース制御に関する設定情報を無線端末３に送信する。無線端末３は、当該設定情報に従って第２のセル２０の無線リソース制御に関する設定を更新し、更新完了を第１の無線局１に報告する（ステップＳ３０３）。無線端末３は、第２のセル２０の無線リソース制御に関する設定を更新している間、第２のセル２０において信号（例えば、データ）の送受信を行わないようにしてもよい。
【００６４】
第２の無線局２は、タイマーが満了した後に、第２のセル２０において当該無線端末３との間でデータ送受信を再開または開始する（ステップＳ３０４）。なお、無線リソース制御に関する設定の更新の終了見込みを示す情報は、タイマー値の代わりに、フレーム番号（e.g. SFN）などでもよい。したがって、第２の無線局２は、無線端末３において第２のセル２０の無線リソース制御に関する設定が変更中であるタイミングでは、当該無線端末３との間のデータ送受信を行わない。これにより、第２のセル２０におけるデータ送受信が適切に行われ、パケットロスなどを回避することができる。
【００６５】
手順例３において、ステップＳ３０１の無線リソース制御に関する設定の更新情報は、当該設定の更新（の開始）タイミングの情報を含んでもよいし、当該設定の更新を開始したことを示す情報を含んでもよい。
【００６６】
手順例１における補足説明と同様に、手順例３においても、第２の無線局２は第２のセル２０の無線リソース制御の設定を変更してもよい。例えば、第１の無線局１からの無線リソース制御に関する設定の更新情報は、第２の無線局２において変更するべき無線リソース制御に関する設定情報を含む。
【００６７】
＜第２の実施形態＞
本実施形態では、上述した第１の実施形態を3GPP LTEシステムに適用する例について説明する。本実施形態に係る無線通信システムの構成例は、図１と同様とすればよい。ただし、無線局１及び２はeNBに相当し、無線端末３はUEに相当し、コアネットワーク４はEPC(Evolved Packet Core)に相当する。無線局間（つまり、eNB間）の情報の送受信は、直接インタフェースであるX2インタフェースを用いてもよいし、EPCを経由するインタフェースであるS1インタフェースを用いてもよいし、或いは、新たに規定されるインタフェース（例えば、X3インタフェース）でもよい。以下では、無線局１及び２をeNB１及び２、無線端末３をUE３とし、コアネットワーク４をEPC４として説明する。
【００６８】
無線端末（UE）３は、第１のセル１０（Cell１０）における第１の無線接続を維持したまま、第２のセル２０（Cell２０）における第２の無線接続を確立することができる。「無線接続の確立」とは、例えば、UE３とeNB（例えば、eNB１又は２）が通信可能な状態になること（例えば、RRC Connection Setup手順が完了している）、又はUE３とeNB（例えば、eNB１又は２）が通信に必要な情報（例えば、UE context）を共有している状態になること、に相当する。より具体的には、UE３は、異なる無線局（eNB）によって運用される複数のセルのキャリアアグリゲーション（Inter-eNB CAまたはInter-Site CAと呼ぶ）をサポートする。なお、ここでの「Inter-eNB CA」とは、実際に異なるeNBのセルで信号を同時に受信又は送信することに限定はされない。例えば、「Inter-eNB CA」は、異なるeNBのセルの両方において信号（例えば、ユーザーデータ又は制御情報）を受信又は送信することが可能な状態になっているが実際にはいずれかのeNBのセルで信号を受信又は送信すること、異なるeNBのセルそれぞれで種類の異なる信号を受信又は送信すること、或いは、異なるeNBのセルそれぞれを信号の受信又は送信のいずれかに使用すること、などを含む。
【００６９】
本実施形態の適用例として、UE３が、eNB１のCell１０をプライマリセル（PCell）として使用している間に、eNB２のCell２０をセカンダリセル（SCell）として使用する無線基地局間のキャリアアグリゲーション（Inter-eNB CA）を行うことが考えられる。プライマリセル（PCell）は、CAを開始する前にサービングセルとして使用されていたセルである。一方、セカンダリセル（SCell）は、UE３がプライマリセルに接続していることを前提として、追加的に又は従属的に使用される（活性化される）セルである。PCellでは、無線接続の確立（RRC Connection Establishment）や無線接続の再確立（RRC Connection Re-establishment）の際に、NASモビリティ情報（Non Access Stratum mobility information）及びセキュリティ情報（security input）等が送受信される。PCellに対応するDL Component CarrierがDL PCCであり、UL Component CarrierがUL PCCである。同様に、SCellに対応するDL Component CarrierがDL SCCであり、UL Component CarrierがUL SCCである。
【００７０】
無線端末（UE）３は、第１のセル１０（Cell１０。例えば、PCell）で第１の無線基地局（eNB）１との無線接続（RRC Connection）を確立し、第２のセル２０（Cell２０。例えば、SCell）で第２の無線基地局（eNB）２との無線接続を確立する。eNB１は、Cell１０及びCell２０における制御系管理機能（例えば、RRC layer）を有する。具体的には、eNB１は、Cell１０及びCell２０のキャリアアグリゲーションを行うために、Cell１０及びCell２０の無線リソース制御をUE３との間で行う。ここで、eNB１は、無線リソース制御に関する設定をCell１０においてUE３に送信しても良いし、eNB２を介してCell２０においてUE３に送信しても良い。後者の場合、eNB１がeNB２にCell２０における無線リソース制御に関する設定を含むメッセージをX2インタフェース又はS1インタフェース（或いは新規インタフェース）で送信するが、eNB２は当該メッセージのコンテンツを知らなくても良いし、知ることができるような構成にしても良い。また、eNB２がCell２０にて無線リソース制御に関する設定を送信する場合、当該設定をデータと同様にData Radio Bearer (DRB)で送信しても良い。さらに、eNB１は、Cell２０の無線リソース制御に関する設定の更新情報（Radio Resource Configuration update information）をeNB２に送信するよう構成されている。
【００７１】
上述の更新情報は、例えば以下の（ａ）〜（ｄ）のうち少なくとも１つを明示的に又は暗示的に示してもよい。
（ａ）Cell２０の無線リソース制御に関する設定の更新（又は変更）の開始報告
（ｂ）Cell２０の無線リソース制御に関する設定の更新（又は変更）の開始通知
（ｃ）Cell２０の無線リソース制御に関する設定の更新（又は変更）の予告
（ｄ）Cell２０の無線リソース制御に関する設定の更新（又は変更）の終了見込み
【００７２】
上述の更新情報が更新の開始報告、更新の開始通知、又は更新の予告を示す場合、eNB１は、終了タイミング（Completion timeとも呼ぶ）（または終了タイミングの予想）の情報を、開始報告、開始通知、又は予告と共に送信してもよい。終了タイミングは、「Cell２０（例えば、SCell）の無線リソース制御に関する設定の更新の終了見込み」を表わす。これに代えて、eNB１は、Cell２０（例えば、SCell）の無線リソース制御に関する設定の更新が終了した時点で、当該設定の更新の終了通知（Radio Resource Configuration update complete indication）をeNB２に送信してもよい。
【００７３】
上述の更新情報が更新の予告である場合、eNB１は、更新（の開始）タイミング（Activation timeとも呼ぶ）の情報を更新の予告と共に送信してもよい。
【００７４】
上述の更新情報にて示される更新（の開始）タイミングの情報又は終了タイミングの情報は、例えばタイマー値で示されてもよいし、フレーム番号（例えば、SFN）で示されてもよい。
【００７５】
上述の更新情報は、単なる更新の通知又は予告ではなく、Cell１０（例えば、PCell）においてeNB１からUE３に送られるCell２０（例えば、SCell）の無線リソース制御に関する設定、又は当該設定に関する制御情報であってもよい。さらに、この設定又は制御情報は、eNB間の制御メッセージに乗せてeNB１から送信されてもよい。この場合、制御メッセージを受信したeNB２は、Cell２０（例えば、SCell）の無線リソース制御に関する設定の更新（又は変更）の開始報告、開始通知、又は予告を暗に受信したものと判断してもよい。
【００７６】
eNB１は、上述の更新情報を、UE３毎にeNB２に送信してもよいし、Cell２０（例えば、SCell）で通信する複数の又は全てのUE３を対象としてeNB２に送信してもよい。
【００７７】
eNB１は、上述の更新情報（つまり、Cell２０（例えば、SCell）の無線リソース制御に関する設定の更新情報）を、Cell２０以外のセル（例えば、Cell１０）の無線リソース制御に関する設定の更新情報と共にeNB２に送信してもよい。また、eNB１は、上述の更新情報（つまり、Cell２０（例えば、SCell）の無線リソース制御に関する設定の更新情報）として、Cell１０（例えば、PCell）の無線リソース制御に関する設定の更新情報を送信してもよい。
【００７８】
上述の更新情報（つまり、Cell２０の無線リソース制御に関する設定の更新情報）を受信したeNB２は、例えば、以下のように動作してもよい。eNB２は、Cell２０におけるUE３との間の信号（i.e. SRB or DRB）の送受信を制御する。一例において、eNB２は、Cell２０の無線リソース制御に関する設定の更新がUE３において行われている間、又は行われていると見込まれる間、Cell２０におけるUE３との間の信号の送信及び受信の少なくとも一方を停止又は中断してもよい。
【００７９】
次に、eNB１によるCell１０（例えば、PCell）及びCell２０（例えば、SCell）の制御系管理について説明する。eNB１は、例えば、Cell１０及びCell２０の無線リソース制御に関する設定をCell１０においてUE３に送信する。UE３は、当該無線リソース制御に関する設定に従って信号の送受信を行う。一例において、当該無線リソース制御に関する設定を受信したUE３は、Cell２０の無線リソース制御に関する設定を行なっている間、又は設定を更新している間、Cell２０において信号（例えば、データ）の送受信を行わないようにしてもよい。このとき、UE３は、Cell１０において通常通りに信号の送受信を行なってもよいし、Cell１０においても信号（例えば、データ）の送受信を行わないようにしてもよい。
【００８０】
Cell１０及びCell２０の無線リソース制御に関する設定は、例えばRRC signaling（e.g. RRC Connection Reconfiguration）で送信される無線パラメータなどの設定であり、以下の（ａ）〜（ｄ）のうち少なくとも１つを含む。
（ａ）無線リソース設定（RadioResourceConfig）
（ｂ）端末測定設定（MeasConfig）
（ｃ）所定の機能に関するその他の設定（OtherConfig）、
（ｄ）セカンダリセル設定（e.g. SCellToAddModList or SCellToReleaseList）
なお、OtherConfigは、例えばUE３が自身が接続可能なCSG (Closed Subscriber Group) Cellを検出したことの報告に関する制御情報（ReportProximityConfig）、 UE３の装置内（つまり、無線端末内）の複数の無線システム間の干渉に関する制御情報（IDC-Config）、 UE３による位置情報の取得に関する制御情報（ObtainLocationConfig）、 又はUE３の消費電力と送受信特性（例えば、スループット）に関する制御情報（PowerPrefIndicationConfig）である。
【００８１】
続いて以下では、本実施形態に係る無線通信システムにおける通信制御方法の手順例４〜６について説明する。尚、UE３が、eNB１のCell１０をPCellとして使用している間に、eNB２のCell２０をSCellとして使用する無線基地局間のキャリアアグリゲーション（Inter-eNB CA）を行うことを想定する。
【００８２】
（手順例４）
手順例４は、第１の実施形態で説明した手順例２に対応する。すなわち、eNB１は、SCellにおけるUE３に対する無線リソース制御に関する設定の更新情報（Radio Resource Configuration update information）として、更新開始通知（configuration update indication） をeNB2に送信する。さらに、eNB１は、UE３において当該設定の更新が終了したことをeNB2に通知する。
【００８３】
図８は、手順例４を示すシーケンス図の一例である。なお、図８において、Cell１０（つまり、PCell）はCELL1と表示され、Cell２０（つまり、SCell）はCELL2と表示されている。ステップＳ４０１及びＳ４０２では、UE３は、CELL1及びCELL2のキャリアアグリゲーションを実行する。すなわち、ステップＳ４０１及びＳ４０２では、eNB１がCELL1においてUE３とデータ又は制御信号の送受信を行い、eNB２がCELL2において当該UE３とデータの送受信を行う。
【００８４】
ステップＳ４０３では、eNB１は、CELL2（SCell）の無線リソース制御に関する設定を変更する必要があると判断し、無線リソース制御に関する設定の更新情報として、当該設定の更新の開始通知を示す情報をeNB２に送信する。ステップＳ４０４では、eNB１は、CELL2の無線リソース制御に関する設定情報をUE３に送信する（RRC Connection Reconfiguration including updated CELL2 configuration）。
【００８５】
ステップＳ４０５では、UE３は、当該設定情報に従ってCELL2における無線リソース制御に関する設定を更新し、当該更新の完了をeNB１に報告する（RRC Connection Reconfiguration Complete）。UE３は、CELL2の無線リソース制御に関する設定を更新している間、CELL2において信号（例えば、データ）の送受信を行わないようにしてもよい。
【００８６】
ステップＳ４０６では、eNB１は、CELL2の無線リソース制御に関する設定の更新がUE３において終了したことをeNB２に通知する（Radio Resource Configuration update complete indication）。ステップＳ４０７では、eNB２は、CELL2において当該UE３との間でデータ送受信を再開または開始する。eNB２は、CELL2（SCell）の無線リソース制御に関する設定がUE３において変更中であるタイミングでは、当該UE３との間のデータ送受信を行わない。これにより、SCellにおけるデータ送受信が適切に行われ、パケットロスなどを回避することができる。なお、SCellの無線リソース制御に関する設定がUE３において変更中であるタイミングでは、eNB１も、PCellにおいて当該UE３との間のデータ送受信を行わないようにしてもよい。
【００８７】
手順例４において、ステップＳ４０３の無線リソース制御に関する設定の更新情報は、当該設定の更新（の開始）タイミングの情報を含んでもよいし、当該設定の更新を開始したことを示す情報を含んでもよい。
【００８８】
なお、図８には明示されていないが、手順例４において、eNB２もCELL2の無線リソース制御の設定を変更してもよい。例えば、eNB１からの無線リソース制御に関する設定の更新情報は、eNB２において変更するべき無線リソース制御に関する設定情報を含む。eNB２は、当該設定情報を受信した時点で、CELL2の無線リソース制御に関する設定の変更を行ってもよい。これに代えて、eNB２は、UE３と同じタイミングでCELL2の無線リソース制御に関する設定の変更を行ってもよい。eNB２において変更するべき無線リソース制御に関する設定情報は、CELL2にて通信するUE３毎に異なってもよいし、CELL2にて通信する複数又は全てのUE３に対して共通でもよい。共通である場合には、eNB１とeNB２の間の信号量を低減することができる。
【００８９】
（手順例５）
手順例５は、第１の実施形態で説明した手順例３に対応する。すなわち、eNB１は、SCellのUE３に対する無線リソース制御に関する設定の更新情報（Radio Resource Configuration update information）として、更新開始通知（configuration update indication）と、UE３における当該設定の更新の終了見込み（expected completion time）を示すタイマー値（タイマー設定値）をeNB２に送信する。
【００９０】
図９は、手順例５を示すシーケンス図の一例である。なお、図９において、第１のセル１０（つまり、PCell）はCELL1と表示され、第２のセル２０（つまり、SCell）はCELL2と表示されている。ステップＳ５０１及びＳ５０２では、UE３は、CELL1及びCELL2のキャリアアグリゲーションを実行する。すなわち、ステップＳ５０１及びＳ５０２では、eNB１がCELL1においてUE３とデータ又は制御信号の送受信を行い、eNB２がCELL2において当該UE３とデータの送受信を行う。
【００９１】
ステップＳ５０３では、eNB１は、CELL2（SCell）の無線リソース制御に関する設定を変更する必要があると判断し、無線リソース制御に関する設定の更新情報として、当該設定の更新の開始通知と、UE３における無線リソース制御に関する設定の更新の終了見込みを示すタイマー値をeNB２に送信する。eNB２は、無線リソース制御に関する設定の更新の終了（または終了見込み）を判定するためのタイマーを、タイマー値に従って動作させる（つまり、計測を開始する）。
【００９２】
ステップＳ５０４では、eNB１は、CELL2における無線リソース制御に関する設定情報をUE３に送信する（RRC Connection Reconfiguration including updated CELL2 configuration）。ステップＳ５０５では、UE３は、当該設定情報に従ってCELL2における無線リソース制御に関する設定を更新し、当該更新の完了をeNB１に報告する（RRC Connection Reconfiguration Complete）。UE３は、CELL2の無線リソース制御に関する設定を更新している間、CELL2において信号（例えば、データ）の送受信を行わないようにしてもよい。
【００９３】
eNB２は、タイマーが満了した後に、CELL2において当該UE３との間でデータ送受信を再開または開始する（ステップＳ５０６）。なお、無線リソース制御に関する設定の更新の終了見込みを示す情報は、タイマー値の代わりに、フレーム番号（e.g. SFN）などでもよい。したがって、eNB２は、UE３においてCELL2（SCell）の無線リソース制御に関する設定が変更中であるタイミングでは、当該UE３との間のデータ送受信を行わない。これにより、SCellにおけるデータ送受信が適切に行われ、パケットロスなどを回避することができる。
【００９４】
手順例５において、ステップＳ５０３の無線リソース制御に関する設定の更新情報は、当該設定の更新（の開始）タイミングの情報を含んでもよいし、当該設定の更新を開始したことを示す情報を含んでもよい。
【００９５】
手順例４における補足説明と同様に、手順例５においても、eNB２はSCellの無線リソース制御の設定を変更してもよい。例えば、eNB１からの無線リソース制御に関する設定の更新情報は、eNB２において変更するべき無線リソース制御に関する設定情報を含む。
【００９６】
（手順例６）
手順例６では、eNB１は、SCellにおけるUE３に対する無線リソース制御に関する設定の更新情報（Radio Resource Configuration update information）として更新の開始予告（expected configuration update information）をeNB2に送信する。さらに、ここでは、SCellにおける無線リソース制御に関する設定として、SCellのシステム情報（System Information Block: SIB）の更新を想定する。つまり、SCellである第２のセル２０におけるシステム情報の更新が、PCellである第１のセル１０において通知される。尚、上述のように、eNB１がeNB２を介して第２のセル２０において、当該第２のセル２０におけるシステム情報の更新をUE３に通知しても良い。
【００９７】
図１０は、手順例６を示すシーケンス図の一例である。なお、図１０において、第１のセル１０（つまり、PCell）はCELL1と表示され、第２のセル２０（つまり、SCell）はCELL2と表示されている。また、図１０は、CELL2においてeNB２と通信するｎ台のUE３（図１０中のUE1, ・・・, UEn）を示している。
【００９８】
ステップＳ６０１及びＳ６０２では、eNB２は、CELL2においてｎ台のUE３との間でデータを送受信する。ステップＳ６０３では、eNB１は、CELL2（SCell）の無線リソース制御に関する設定であるシステム情報を変更する必要があると判断し、CELL2のシステム情報の更新の予告と、更新すべきシステム情報の内容（例えば無線パラメータ）をeNB２へ送信する。
【００９９】
ステップＳ６０４及びＳ６０５では、eNB１は、CELL1と共にCELL2を使用しているｎ台のUE３（図１０中のUE1, ・・・, UEn）にCELL2における無線リソース制御に関する設定情報（つまり、手順例６ではシステム情報に含まれる無線パラメータなどの情報）を送信する（RRC Connection Reconfiguration including updated CELL2 configuration）。ステップＳ６０６及びＳ６０７では、ｎ台のUE３は、当該設定情報に従ってCELL2における無線リソース制御に関する設定を更新し、当該更新の完了をeNB１に報告する（RRC Connection Reconfiguration Complete）。UE３は、CELL2の無線リソース制御に関する設定を更新している間、CELL2において信号（例えば、データ）の送受信を行わないようにしてもよい。
【０１００】
ステップＳ６０８では、eNB２は、CELL2におけるシステム情報の更新タイミング（Modification period boundary）になると、eNB１から送信された更新すべきシステム情報の更新内容（例えば無線パラメータ）に基づき、システム情報を更新する（Update CELL2 configuration）。
【０１０１】
ステップＳ６０９及びＳ６１０では、eNB２は、CELL2においてｎ台のUE３との間でデータ送受信を再開または開始する。したがって、eNB２は、UE３においてCELL2（SCell）の無線リソース制御に関する設定が変更中であるタイミングでは、当該UE３との間のデータ送受信を行わない。これにより、SCellにおけるデータ送受信が適切に行われ、パケットロスなどを回避することができる。
【０１０２】
（手順例６の変形）
eNB１は、ｎ台のUE３に対するCELL2の無線リソース制御に関する設定情報を、eNB２(CELL2)におけるシステム情報の更新タイミングでCELL1において送信してもよいし、または当該更新タイミングの直後にCELL1において送信してもよい。
【０１０３】
eNB１は、ｎ台のUE３に対するCELL2の無線リソース制御に関する設定情報を、所定のグループに属するUE３毎に共通のメッセージで送信してもよい。あるいは、eNB１は、CELL1にいる全てのUE３に共通のメッセージを用いて、CELL2の無線リソース制御に関する設定情報を送信してもよい。あるいは、eNB１は、CELL1及びCELL2の両方を使用しているUE３に共通のメッセージを用いて、CELL2の無線リソース制御に関する設定情報を送信してもよい。これにより、CELL2の無線リソース制御に関する設定情報の送信のために必要なCELL1の無線リソースの使用量を低減することができる。
【０１０４】
eNB１が複数のUE３に共通のメッセージを送信する場合、当該共通のメッセージにて無線リソース制御に関する設定情報を受信した、つまり無線リソース制御に関する設定の更新を指示されたUE３は、所定の共通の応答メッセージにて当該設定の更新が完了したことをeNB１に報告してもよい。
【０１０５】
eNB１は、CELL2の無線リソース制御に関する設定情報をCELL1にてｎ台のUE３に送信する代わりに、CELL2の無線リソース制御に関する設定（ここではシステム情報）が更新されることを（例えばページングにより）通知してもよい。この場合、ｎ台のUE３は、eNB１からの通知（例えばページング）に応答して、自発的にCELL2においてシステム情報の更新タイミング、または更新タイミング直後にシステム情報を受信すればよい。UE３は、更新後のシステム情報を正しく受信するまでCELL2におけるデータ送受信を行わないようにしてもよい。
【０１０６】
＜その他の実施形態＞
第１及び第２の実施形態において、無線リソース制御に関する設定の更新情報の無線局１から無線局２への送信は、コアネットワーク（e.g. EPC）を介して行われてもよい。
【０１０７】
第１及び第２の実施形態では、基本的に無線端末（UE）個別の制御を例にしていた。しかしながら、例えば無線リソース制御に関する設定は複数の無線端末（UE）に共通であってもよいし、同じセル内の無線端末（UE）全てに共通であってもよい。また、無線リソース制御に関する設定情報の通知方法も、複数の無線端末（UE）に共通のメッセージで当該設定情報を送信してもよいし、同じセル内の無線端末（UE）全てに共通のメッセージ（例えば、システム情報）で当該設定情報を送信してもよい。
【０１０８】
第１及び第２の実施形態の適用先としては、第１の無線局１（eNB１）が比較的カバレッジの大きいマクロセルを運用（管理）するマクロ無線基地局（Macro eNB：MeNB）であり、第２の無線局２（eNB２）がカバレッジの小さいセルを運用（管理）する低電力無線局（Low Power Node: LPN）である場合が考えられる。LPNとしては、例えばMeNBと同様の機能を持つピコ無線基地局（Pico eNB：PeNB）や、MeNBに比べ機能が少ない新しい種類のネットワークノード（New Node）である場合が考えられる。また、第２のセル２０は、従来とは異なる新しい種類のキャリア（New Carrier Type）を構成要素とする従来とは異なる新しい種類のセル（New Cell Type）であってもよい。
【０１０９】
また、第１及び第２の実施形態で述べた無線局１（通信制御部１５）、無線局２（通信制御部２５）、及び無線端末３（通信制御部３５）による通信制御方法は、いずれもApplication Specific Integrated Circuit（ASIC）を含む半導体処理装置を用いて実現されてもよい。また、これらの処理は、少なくとも１つのプロセッサ（e.g. マイクロプロセッサ、Micro Processing Unit（MPU）、Digital Signal Processor（DSP））を含むコンピュータシステムにプログラムを実行させることによって実現してもよい。具体的には、フローチャート及びシーケンス図に示されたアルゴリズムをコンピュータシステムに行わせるための命令群を含む１又は複数のプログラムを作成し、当該プログラムをコンピュータに供給すればよい。
【０１１０】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１１】
また、第１及び第２の実施形態では、主にLTEシステムに関して説明を行った。しかしながら、これらの実施形態は、LTEシステム以外の無線通信システム、例えば、3GPP UMTS (Universal Mobile Telecommunications System)、3GPP2 CDMA2000システム（1xRTT, HRPD (High Rate Packet Data)）、GSM (Global System for Mobile Communications) システム、又はWiMAXシステム等に適用されてもよい。
【０１１２】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１１３】
この出願は、２０１３年２月２２日に出願された日本出願特願２０１３−０３３７０４を基礎とする優先権を主張し、その開示の全てをここに取り込む。
【符号の説明】
【０１１４】
１  第１の無線局
２  第２の無線局
３  無線端末
１０  第１のセル
２０  第２のセル
１５  通信制御部
２５  通信制御部
３５  通信制御部
【図１】
2020074579.tif 000003
【図２】
2020074579.tif 000004
【図３】
2020074579.tif 000005
【図４】
2020074579.tif 000006
【図５】
2020074579.tif 000007
【図６】
2020074579.tif 000008
【図７】
2020074579.tif 000009
【図８】
2020074579.tif 000010
【図９】
2020074579.tif 000011
【図１０】
2020074579.tif 000012
【図１１】
2020074579.tif 000013